(57)【要約】  本開示の通信装置は、電源電圧を出力する第１の端子と、第１の端子に直接的または間接的に接続された第２の端子と、電源電圧に基づいて動作し、通信相手と通信を行う通信部と、第２の端子における電圧に基づいて通信部をオン状態またはオフ状態に設定する通信制御部とを備える。
2016152439.tif 000002
【特許請求の範囲】
【請求項１】
電源電圧を出力する第１の端子と、
前記第１の端子に直接的または間接的に接続された第２の端子と、
前記電源電圧に基づいて動作し、通信相手と通信を行う通信部と、
前記第２の端子における電圧に基づいて前記通信部をオン状態またはオフ状態に設定する通信制御部と
を備えた通信装置。
【請求項２】
前記第２の端子は、前記第１の端子に直接接続された
請求項１に記載の通信装置。
【請求項３】
前記第２の端子には、前記通信相手により前記電源電圧が供給される
請求項２に記載の通信装置。
【請求項４】
前記第１の端子と前記第２の端子との間に挿入されたスイッチをさらに備え、
前記第２の端子は、前記スイッチがオン状態になることにより、前記第１の端子に接続された
請求項１に記載の通信装置。
【請求項５】
前記第１の端子の電圧レベルに基づいて、前記スイッチをオンオフするスイッチ制御部  をさらに備えた
請求項４に記載の通信装置。
【請求項６】
前記スイッチ制御部は、前記第１の端子の電圧レベルが所定レベルよりも低い場合に、前記スイッチをオン状態にし、前記第１の端子の電圧レベルが前記所定レベルよりも高い場合に、前記スイッチをオフ状態にする
請求項５に記載の通信装置。
【請求項７】
前記第１の端子に接続された電圧供給部をさらに備えた
請求項５に記載の通信装置。
【請求項８】
前記第１の端子には、電圧供給部が接続される
請求項５に記載の通信装置。
【請求項９】
前記電圧供給部はバッテリである
請求項８に記載の通信装置。
【請求項１０】
前記バッテリは、前記電源電圧を前記第１の端子に供給し、
前記スイッチ制御部は、前記電源電圧が前記所定レベルよりも高い場合に、前記スイッチをオフ状態にする
請求項９に記載の通信装置。
【請求項１１】
前記バッテリは、前記スイッチがオン状態である場合において、前記第２の端子を介して、前記通信相手により充電される
請求項９に記載の通信装置。
【請求項１２】
前記通信部は、光通信により前記通信相手と通信を行う
請求項１に記載の通信装置。
【請求項１３】
前記通信部は、複数の通信レーンを介して、前記通信相手と、互いに異なる複数の接続状態で接続可能に構成された
請求項１２に記載の通信装置。
【請求項１４】
前記通信部は、前記第２の端子の電圧に基づいて、前記接続状態を取得する
請求項１３に記載の通信装置。
【請求項１５】
前記通信制御部は、前記第２の端子における電圧に加え、さらに前記第１の端子における電圧にも基づいて、前記通信部をオン状態またはオフ状態に設定する
請求項１に記載の通信装置。
【請求項１６】
前記通信制御部は、前記第２の端子における電圧が所定の第１の電圧であり、かつ、前記第１の端子における電圧が所定の第２の電圧である状態が所定時間続いたときに、前記通信部をオン状態に設定する
請求項１５に記載の通信装置。
【請求項１７】
オン状態になることにより、前記第１の端子に前記電源電圧を供給する電源スイッチをさらに備えた
請求項１に記載の通信装置。
【請求項１８】
前記通信制御部は、さらに、前記第２の端子における電圧に基づいて、前記電源スイッチを所定期間オフ状態にする
請求項１７に記載の通信装置。
【請求項１９】
前記通信制御部は、さらに、前記通信部における通信状態に基づいて、前記電源スイッチを所定期間オフ状態にする
請求項１７に記載の通信装置。
【請求項２０】
第１の通信装置と、
前記第１の通信装置と通信を行う第２の通信装置と
を備え、
前記第１の通信装置は、
第１の電源電圧を出力する第１の端子と、
前記第１の端子に直接的または間接的に接続された第２の端子と、
前記第１の電源電圧に基づいて動作する第１の通信部と、
前記第２の端子における電圧に基づいて前記第１の通信部をオン状態またはオフ状態に設定する第１の通信制御部と
を有する
通信システム。
【請求項２１】
前記第２の通信装置は、
前記第１の通信装置の前記第２の端子と接続され、第２の電源電圧を出力する第３の端子と、
前記第１の通信装置の前記第１の端子と接続され、前記第３の端子に直接的または間接的に接続された第４の端子と、
前記第２の電源電圧に基づいて動作し、前記第１の通信部と通信を行う第２の通信部と、
前記第４の端子における電圧に基づいて前記第２の通信部をオン状態またはオフ状態に設定する第２の通信制御部と
を有する
請求項２０に記載の通信システム。
【請求項２２】
前記第２の通信装置は、
第２の電源電圧を生成する電源部と、
前記第１の通信装置の前記第２の端子と接続され、前記第２の電源電圧を出力する第３の端子と、
前記第１の通信装置の前記第１の端子と接続された第４の端子と、
前記第１の通信部と通信を行う第２の通信部と、
前記第４の端子における電圧に基づいて前記第２の通信部をオン状態またはオフ状態に設定する第２の通信制御部と
を有する
請求項２０に記載の通信システム。
【請求項２３】
前記電源部は、第３の電源電圧をさらに生成し、
前記第２の通信部は、前記第３の電源電圧に基づいて動作する
請求項２２に記載の通信システム。
【請求項２４】
第１の通信装置と、
前記第１の通信装置との間で通信を行う第２の通信装置と
を備え、
前記第１の通信装置は、
第１の電圧を生成する第１の電源部と、
前記第１の電圧を出力する第１の端子と、
第２の端子と、
第１の通信部と、
前記第２の端子における電圧に基づいて前記第１の通信部をオン状態またはオフ状態に設定する第１の通信制御部と
を有し、
前記第２の通信装置は、
第２の電圧を生成する第２の電源部と、
前記第１の通信装置の前記第２の端子と接続され、前記第２の電圧を出力する第３の端子と、
前記第１の通信装置の前記第１の端子と接続された第４の端子と、
前記第１の通信部と通信を行う第２の通信部と、
前記第４の端子における電圧に基づいて前記第２の通信部をオン状態またはオフ状態に設定する第２の通信制御部と
を有する
通信システム。
【発明の詳細な説明】
【技術分野】
【０００１】
本開示は、データの送受信を行う通信装置、およびそのような通信装置を備えた通信システムに関する。
【背景技術】
【０００２】
近年の電子機器の高機能化および多機能化に伴い、電子機器は、他の電子機器と、より多くの情報をやりとりするようになってきている。例えば、電子機器は、しばしば他の電子機器と有線通信により接続される。有線通信では、より多くのデータのやりとりを行う場合には、しばしば光通信が用いられる。【０００３】
このような光通信を行う送信装置には、例えば、送信装置と光ファイバとが接続されたことを検出した後に、発光素子が光信号を出力するものがある（例えば、特許文献１）。これにより、この送信装置では、ユーザの目に光信号が入射するおそれを低減することができ、安全性の向上を図るようになっている。
【先行技術文献】
【特許文献】
【０００４】
【特許文献１】特開平４−１５５８７４号公報
【発明の概要】
【０００５】
このように、通信装置では、安全性を高めることが望まれており、さらなる安全性の向上が期待されている。
【０００６】
したがって、安全性を高めることができる通信装置および通信システムを提供することが望ましい。
【０００７】
本開示の一実施の形態における通信装置は、第１の端子と、第２の端子と、通信部と、通信制御部とを備えている。第１の端子は、電源電圧を出力するものである。第２の端子は、第１の端子に直接的または間接的に接続されたものである。通信部は、電源電圧に基づいて動作し、通信相手と通信を行うものである。通信制御部は、第２の端子における電圧に基づいて通信部をオン状態またはオフ状態に設定するものである。
【０００８】
本開示の一実施の形態における第１の通信システムは、第１の通信装置と、第２の通信装置とを備えている。第２の通信装置は、第１の通信装置と通信を行うものである。上記第１の通信装置は、第１の端子と、第２の端子と、第１の通信部と、第１の通信制御部とを有している。第１の端子は、第１の電源電圧を出力するものである。第２の端子は、第１の端子に直接的または間接的に接続されたものである。第１の通信部は、第１の電源電圧に基づいて動作するものである。第１の通信制御部は、第２の端子における電圧に基づいて第１の通信部をオン状態またはオフ状態に設定するものである。
【０００９】
本開示の一実施の形態における第２の通信システムは、第１の通信装置と、第２の通信装置とを備えている。第２の通信装置は、第１の通信装置と通信を行うものである。上記第１の通信装置は、第１の電源部と、第１の端子と、第２の端子と、第１の通信部と、第１の通信制御部とを有している。第１の電源部は、第１の電圧を生成するものである。第１の端子は、第１の電圧を生成するものである。第１の通信制御部は、第２の端子における電圧に基づいて第１の通信部をオン状態またはオフ状態に設定するものである。上記第２の通信装置は、第２の電源部と、第３の端子と、第４の端子と、第２の通信部と、第２の通信制御部とを有している。第２の電源部は、第２の電圧を生成するものである。第３の端子は、第１の通信装置の第２の端子と接続され、第２の電圧を出力するものである。第４の端子は、第１の通信装置の第１の端子と接続されたものである。第２の通信部は、第１の通信部と通信を行うものである。第２の通信制御部は、第４の端子における電圧に基づいて第２の通信部をオン状態またはオフ状態に設定するものである。
【００１０】
本開示の一実施の形態における通信装置および第１の通信装置では、電源電圧は、第１の端子を介して出力され、第２の端子における電圧に基づいて、通信部がオン状態またはオフ状態に設定される。
第１の端子と第２の端子とは、直接的または間接的に互いに接続される。
【００１１】
本開示の一実施の形態における第２の通信装置では、第１の通信装置において、第１の電源部により生成された第１の電圧が第１の端子を介して出力され、第２の端子における電圧に基づいて、第１の通信部がオン状態またはオフ状態に設定される。また、第２の通信装置において、第２の電源部により生成された第２の電圧が第３の端子を介して出力され、第４の端子における電圧に基づいて、第２の通信部がオン状態またはオフ状態に設定される。第１の端子と第４の端子とは互いに接続され、第２の端子と第３の端子とは互いに接続されている。
【００１２】
本開示の一実施の形態における通信装置および第１の通信システムによれば、直接的または間接的に互いに接続された第１の端子および第２の端子を設け、第１の端子を介して電源電圧を出力するとともに、第２の端子における電圧に基づいて通信部をオン状態またはオフ状態に設定するようにしたので、安全性を高めることができる。
【００１３】
本開示の一実施の形態における第２の通信システムによれば、第１の通信装置に第１の通信制御部を設けるとともに、第２の通信制御部に第２の通信制御部を設け、第１の通信装置における第１の端子を第２の通信装置における第４の端子と接続し、第１の通信装置における第２の端子を第２の通信装置における第３の端子と接続したので、安全性を高めることができる。
【００１４】
なお、ここに記載された効果は必ずしも限定されるものではなく、本開示中に記載されたいずれの効果があってもよい。
【図面の簡単な説明】
【００１５】
【図１】本開示の第１の実施の形態に係る通信システムの一構成例を表すブロック図である。
【図２】第２の実施の形態に係る通信システムの一構成例を表すブロック図である。
【図３】第２の実施の形態の変形例に係る通信システムの一構成例を表すブロック図である。
【図４】第３の実施の形態に係る通信システムの一構成例を表すブロック図である。
【図５Ａ】図４に示した通信システムにおける一動作例を表す説明図である。
【図５Ｂ】図４に示した通信システムにおける他の動作例を表す説明図である。
【図６】第３の実施の形態の変形例に係る通信システムの一構成例を表すブロック図である。
【図７】第４の実施の形態に係る通信システムの一構成例を表すブロック図である。
【図８Ａ】図７に示した通信システムにおける一動作例を表す説明図である。
【図８Ｂ】図７に示した通信システムにおける他の動作例を表す説明図である。
【図９】第４の実施の形態の変形例に係る通信システムの一構成例を表すブロック図である。
【図１０】第５の実施の形態に係る通信システムの一構成例を表すブロック図である。
【図１１Ａ】図１０に示した通信システムにおける一動作例を表す説明図である。
【図１１Ｂ】図１０に示した通信システムにおける他の動作例を表す説明図である。
【図１１Ｃ】図１０に示した通信システムにおける他の動作例を表す説明図である。
【図１１Ｄ】図１０に示した通信システムにおける他の動作例を表す説明図である。
【図１２】変形例に係る通信システムの一構成例を表すブロック図である。
【図１３】他の変形例に係る通信システムの一構成例を表すブロック図である。
【図１４Ａ】他の変形例に係る通信システムの一構成例を表すブロック図である。
【図１４Ｂ】他の変形例に係る通信システムの他の構成例を表すブロック図である。
【図１５】他の変形例に係る通信システムの一構成例を表すブロック図である。
【図１６】他の変形例に係る通信システムの一構成例を表すブロック図である。
【図１７】図１６に示した制御部の一構成例を表すブロック図である。
【図１８】図１６に示した制御部の一動作例を表すタイミング波形図である。
【発明を実施するための形態】
【００１６】
以下、本開示の実施の形態について、図面を参照して詳細に説明する。なお、説明は以下の順序で行う。
１．第１の実施の形態
２．第２の実施の形態
３．第３の実施の形態
４．第４の実施の形態
５．第５の実施の形態
【００１７】
＜１．第１の実施の形態＞
［構成例］
図１は、第１の実施の形態に係る通信システム（通信システム１）の一構成例を表すものである。通信システム１は、光通信によりデータを伝送する通信システムである。通信システム１は、ケーブル９０と、送信装置１０と、受信装置２０とを備えている。
【００１８】
ケーブル９０は、電線９０１〜９０３と、光ファイバ９０４と、コネクタ９１，９２とを有している。電線９０１は、送信装置１０から受信装置２０に電源電圧Ｖｐ１（後述）を伝えるものであり、一端が送信装置１０の端子１１Ｐに接続され、他端が受信装置２０の端子２１Ｄに接続されている。電線９０２は、受信装置２０から送信装置１０に電源電圧Ｖｐ２（後述）を伝えるものであり、一端が受信装置２０の端子２１Ｐに接続され、他端が送信装置１０の端子１１Ｄに接続されている。電線９０３は、接地電圧を伝えるものであり、一端が送信装置１０の端子１１Ｇに接続され、他端が受信装置２０の端子２１Ｇに接続されている。光ファイバ９０４は、送信装置１０から受信装置２０に光信号を伝えるものであり、一端が送信装置１０の端子１１Ｃに接続され、他端が受信装置２０の端子２１Ｃに接続されている。コネクタ９１は、ケーブル９０の一端に設けられたものであり、送信装置１０のコネクタ１１と結合するように構成されている。コネクタ９２は、ケーブル９０の他端に設けられたものであり、受信装置２０のコネクタ２１と結合するように構成されている。
【００１９】
送信装置１０は、受信装置２０に対してデータを送信するものである。送信装置１０は、コネクタ１１と、電源部１２と、接続検出部１３と、送信部１４とを有している。
【００２０】
コネクタ１１は、ケーブル９０のコネクタ９１と結合するように構成されたものである。コネクタ１１は、端子１１Ｐ，１１Ｄ，１１Ｇ，１１Ｃを有している。端子１１Ｐ，１１Ｄ，１１Ｇは電気信号用の端子であり、端子１１Ｃは光信号用の端子である。端子１１Ｐは電線９０１に接続され、端子１１Ｄは電線９０２に接続され、端子１１Ｇは電線９０３に接続されている。また、端子１１Ｃは、光ファイバ９０４に接続されている。
【００２１】
電源部１２は、例えば外部から供給される交流の電源電圧に基づいて、直流の電源電圧Ｖｐ１，Ｖｐ１１を生成するものである。そして、電源部１２は、電源電圧Ｖｐ１を、端子１１Ｐおよび電線９０１を介して受信装置２０に供給するとともに、電源電圧Ｖｐ１１を、送信装置１０内の各ブロックに供給するようになっている。
【００２２】
接続検出部１３は、端子１１Ｄにおける電圧に基づいて、受信装置２０がケーブル９０を介して送信装置１０に接続されたことを検出するものである。そして、接続検出部１３は、その検出結果に基づいて、送信部１４における送信動作を制御するようになっている。具体的には、接続検出部１３は、送信装置１０と受信装置２０とが接続されている場合には、送信部１４をオン状態に設定し、送信装置１０と受信装置２０とが接続されていない場合には、送信部１４をオフ状態に設定するようになっている。
【００２３】
送信部１４は、受信装置２０に対して光信号を送信するものである。送信部１４は、送信回路１５と、発光部１６とを有している。送信回路１５は、送信すべきデータを生成するものである。発光部１６は、電気信号を光信号に変換するものであり、例えば、レーザダイオードおよびそのレーザダイオードを駆動する駆動回路などを含んで構成されるものである。送信部１４は、接続検出部１３からの指示に基づいて、オン状態またはオフ状態に設定されるようになっている。
【００２４】
電源部１２、接続検出部１３、および送信回路１５は、この例では、半導体チップ１０ＩＣに集積されている。この半導体チップ１０ＩＣは、端子１９Ｐ，１９Ｄ，１９Ｇを有している。端子１９Ｐはコネクタ１１の端子１１Ｐに接続され、端子１９Ｄはコネクタ１１の端子１１Ｄに接続され、端子１９Ｇはコネクタ１１の端子１１Ｇに接続されている。
【００２５】
受信装置２０は、送信装置１０から送信されたデータを受信するものである。受信装置２０は、コネクタ２１と、電源部２２と、接続検出部２３と、受信部２４とを有している。
【００２６】
コネクタ２１は、ケーブル９０のコネクタ９２と結合するように構成されたものである。コネクタ２１は、端子２１Ｐ，２１Ｄ，２１Ｇ，２１Ｃを有している。端子２１Ｐ，２１Ｄ，２１Ｇは電気信号用の端子であり、端子２１Ｃは光信号用の端子である。端子２１Ｐは電線９０２に接続され、端子２１Ｄは電線９０１に接続され、端子２１Ｇは電線９０３に接続されている。また、端子２１Ｃは、光ファイバ９０４に接続されている。
【００２７】
電源部２２は、送信装置１０の電源部１２と同様に、例えば外部から供給される交流の電源電圧に基づいて、直流の電源電圧Ｖｐ２，Ｖｐ２１を生成するものである。そして、電源部２２は、電源電圧Ｖｐ２を、端子２１Ｐおよび電線９０２を介して送信装置１０に供給するとともに、電源電圧Ｖｐ２１を、受信装置２０内の各ブロックに供給するようになっている。
【００２８】
接続検出部２３は、送信装置１０の接続検出部１３と同様に、端子２１Ｄにおける電圧に基づいて、送信装置１０がケーブル９０を介して受信装置２０に接続されたことを検出するものである。そして、接続検出部２３は、その検出結果に基づいて、受信部２４における受信動作を制御するようになっている。具体的には、接続検出部２３は、送信装置１０と受信装置２０とが接続されている場合には、受信部２４をオン状態に設定し、送信装置１０と受信装置２０とが接続されていない場合には、受信部２４をオフ状態に設定するようになっている。
【００２９】
受信部２４は、送信装置１０の送信部１４から送信された光信号を受信するものである。受信部２４は、受光部２５と、受信回路２６とを有している。受光部２５は、光信号を電気信号に変換するものであり、例えば、フォトディテクタおよびそのフォトディテクタから出力された電気信号を増幅するアンプ回路などを含んで構成されるものである。受信回路２６は、受光部２５から電気信号を受け取るものである。受信部２４は、接続検出部２３からの指示に基づいて、オン状態またはオフ状態に設定されるようになっている。
【００３０】
電源部２２、接続検出部２３、および受信回路２６は、この例では、半導体チップ２０ＩＣに集積されている。この半導体チップ２０ＩＣは、端子２９Ｐ，２９Ｄ，２９Ｇを有している。端子２９Ｐはコネクタ２１の端子２１Ｐに接続され、端子２９Ｄはコネクタ２１の端子２１Ｄに接続され、端子２９Ｇはコネクタ２１の端子２１Ｇに接続されている。
【００３１】
ここで、半導体チップ１０ＩＣは、本開示の第２の通信システムにおける「第１の通信装置」の一具体例に対応する。半導体チップ２０ＩＣは、本開示の「第２の通信装置」の一具体例に対応する。電源部１２は、本開示における「第１の電源部」の一具体例に対応する。電源部２２は、本開示における「第２の電源部」の一具体例に対応する。端子１９Ｐは、本開示における「第１の端子」の一具体例に対応し、端子１９Ｄは、本開示における「第２の端子」の一具体例に対応する。端子２９Ｐは、本開示における「第３の端子」の一具体例に対応し、端子２９Ｇは、本開示における「第４の端子」の一具体例に対応する。送信回路１５は、本開示における「第１の通信部」の一具体例に対応する。受信回路２６は、本開示における「第２の通信部」の一具体例に対応する。接続検出部１３は、本開示における「第１の通信制御部」の一具体例に対応する。接続検出部２３は、本開示における「第２の通信制御部」の一具体例に対応する。
【００３２】
［動作および作用］
続いて、本実施の形態の通信システム１の動作および作用について説明する。
【００３３】
（全体動作概要）
まず、図１を参照して、通信システム１の全体動作概要を説明する。送信装置１０の接続検出部１３は、端子１１Ｄにおける電圧に基づいて、受信装置２０がケーブル９０を介して送信装置１０に接続されたことを検出する。受信装置２０の接続検出部２３は、端子２１Ｄにおける電圧に基づいて、送信装置１０がケーブル９０を介して受信装置２０に接続されたことを検出する。送信装置１０の送信部１４は、受信装置２０の受信部２４に対して光信号を送信し、受信装置２０の受信部２４は、送信装置１０の送信部１４から送信された光信号を受信する。
【００３４】
（詳細動作）
次に、通信システム１の詳細動作について説明する。
【００３５】
送信装置１０では、電源部１２が、直流の電源電圧Ｖｐ１，Ｖｐ１１を生成する。電源電圧Ｖｐ１は、端子１１Ｐに供給される。また、電源電圧Ｖｐ１１は、送信装置１０内の各ブロックに供給される。これにより、送信装置１０内の各ブロックは動作可能な状態になる。
【００３６】
同様に、受信装置２０では、電源部２２が、直流の電源電圧Ｖｐ２，Ｖｐ２１を生成する。電源電圧Ｖｐ２は、端子２１Ｐに供給される。また、電源電圧Ｖｐ２１は、受信装置２０内の各ブロックに供給される。これにより、受信装置２０内の各ブロックは動作可能な状態になる。
【００３７】
送信装置１０と受信装置２０とがケーブル９０を介して接続されると、受信装置２０の電源部２２が生成した電源電圧Ｖｐ２は、端子２１Ｐ、電線９０２、および端子１１Ｄを介して、送信装置１０の接続検出部１３に供給される。接続検出部１３は、この電源電圧Ｖｐ２を検出することにより、受信装置２０がケーブル９０を介して送信装置１０に接続されたと判断する。そして、接続検出部１３は、送信部１４をオン状態に設定する。これにより、送信装置１０は、光信号を送信することができる状態になる。
【００３８】
これと同時に、送信装置１０の電源部１２が生成した電源電圧Ｖｐ１は、端子１１Ｐ、電線９０１、および端子２１Ｄを介して、受信装置２０の接続検出部２３に供給される。接続検出部２３は、この電源電圧Ｖｐ１を検出することにより、送信装置１０がケーブル９０を介して受信装置２０に接続されたと判断する。そして、接続検出部２３は、受信部２４をオン状態に設定する。これにより、受信装置２０は、光信号を受信することができる状態になる。
【００３９】
このようにして、送信装置１０および受信装置２０は、光通信をすることができる状態になる。その後、送信装置１０の送信部１４がデータを送信し、受信装置２０の受信部２４が、光ファイバ９０４を介してそのデータを受信する。
【００４０】
このように、通信システム１では、送信装置１０の接続検出部１３が、受信装置２０から供給された電源電圧Ｖｐ２に基づいて、送信部１４をオン状態に設定したので、ユーザの目に光信号が入射するおそれを低減することができる。すなわち、例えば、特許文献１記載の技術のように、ケーブルが接続されたこと検出し、その検出結果に基づいて送信部をオン状態にした場合には、送信装置は、ケーブルの先に受信装置が接続していなくても、光信号を送信してしまう。その場合には、ユーザの目にその光信号が入射するおそれがある。特に、非可視光を用いて光通信を行う場合には、ユーザは、送信装置が光信号を送信しているかどうかを、目で見て直接把握できない。そのため、ユーザが気づかないうちに、目にその光信号が入射し、目がダメージをうけてしまうおそれがある。一方、通信システム１では、接続検出部１３が、受信装置２０から供給された電源電圧Ｖｐ２に基づいて、送信部１４をオン状態にした。これにより、例えば、送信装置１０にケーブル９０が接続された場合でも、そのケーブル９０の先に受信装置２０が接続されていない場合には、電源電圧Ｖｐ２は接続検出部１３に供給されない。よって、接続検出部１３は、送信部１４をオフ状態に維持するため、光信号は送信されない。その結果、ユーザの目に光信号が入射するおそれを低減することができ、安全性を高めることができる。
【００４１】
また、通信システム１では、受信装置２０の接続検出部２３が、送信装置１０から供給された電源電圧Ｖｐ１に基づいて、受信部２４をオン状態に設定した。これにより、例えば、送信装置１０と受信装置２０とが接続されていない場合には、受信部２４をオフ状態にすることができるため、例えば、消費電力を低減することができる。
【００４２】
［効果］
以上のように本実施の形態では、送信装置の接続検出部が、受信装置から供給された電源電圧に基づいて、送信部をオン状態に設定したので、ユーザの目に光信号が入射するおそれを低減することができ、安全性を高めることができる。
【００４３】
＜２．第２の実施の形態＞
次に、第２の実施の形態に係る通信システム２について説明する。本実施の形態は、送信装置の構成が、上記第１の実施の形態と異なるものである。すなわち、上記第１の実施の形態（図１）では、電源部１２を有する送信装置１０を用いたが、これに代えて、本実施の形態では、電源部１２を有さず、通信相手から電力を受け取ることにより動作する送信装置を用いている。なお、上記第１の実施の形態に係る通信システム１と実質的に同一の構成部分には同一の符号を付し、適宜説明を省略する。
【００４４】
図２は、通信システム２の一構成例を表すものである。通信システム２は、送信装置３０を備えている。送信装置３０は、受信装置２０に対してデータを送信するものである。送信装置３０は、コネクタ１１と、接続検出部１３と、送信部１４とを有している。すなわち、送信装置３０では、上記第１の実施の形態に係る送信装置１０（図１）と異なり、電源部１２を有しないものである。また、送信装置３０では、端子１１Ｐと端子１１Ｄとが互いに接続されている。この構成により、受信装置２０は、送信装置３０に対して電力（電源電圧Ｖｐ２）を供給する給電装置としても機能し、送信装置３０は、受信装置２０から供給された電力に基づいて動作するようになっている。接続検出部１３および送信回路１５は、この例では、半導体チップ３０ＩＣに集積されている。
【００４５】
ここで、半導体チップ３０ＩＣは、本開示における「通信装置」の一具体例に対応する。端子１９Ｐは、本開示における「第１の端子」の一具体例に対応し、端子１９Ｄは、本開示における「第２の端子」の一具体例に対応する。送信回路１５は、本開示における「通信部」の一具体例に対応する。接続検出部１３は、本開示における「通信制御部」の一具体例に対応する。
【００４６】
次に、通信システム２における動作について説明する。
【００４７】
受信装置２０では、電源部２２が、直流の電源電圧Ｖｐ２，Ｖｐ２１を生成する。電源電圧Ｖｐ２は、端子２１Ｐに供給される。また、電源電圧Ｖｐ２１は、受信装置２０内の各ブロックに供給される。これにより、受信装置２０内の各ブロックは動作可能な状態になる。
【００４８】
送信装置３０と受信装置２０とがケーブル９０を介して接続されると、受信装置２０の電源部２２が生成した電源電圧Ｖｐ２は、端子２１Ｐ、電線９０２、および端子１１Ｄを介して、送信装置３０の接続検出部１３に供給されるとともに、送信装置３０内の各ブロックに供給される。これにより、送信装置３０内の各ブロックは動作可能な状態になる。なお、この電源電圧Ｖｐ２を、送信装置３０内の各ブロックに供給する際、例えば、レギュレータを用いて電圧を変換し、その変換された電圧を供給してもよい。また、接続検出部１３は、この電源電圧Ｖｐ２を検出することにより、受信装置２０がケーブル９０を介して送信装置３０に接続されたと判断する。そして、接続検出部１３は、送信部１４をオン状態に設定する。これにより、送信装置３０は、光信号を送信することができる状態になる。
【００４９】
このようにして送信装置３０に供給された電源電圧Ｖｐ２は、さらに、端子１１Ｐ、電線９０１、および端子２１Ｄを介して、受信装置２０の接続検出部２３に供給される。すなわち、受信装置２０が出力した電源電圧Ｖｐ２は、送信装置３０を介して、再び受信装置２０に入力される。接続検出部２３は、この電源電圧Ｖｐ２を検出することにより、送信装置３０がケーブル９０を介して受信装置２０に接続されたと判断する。そして、接続検出部２３は、受信部２４をオン状態に設定する。これにより、受信装置２０は、光信号を受信することができる状態になる。
【００５０】
このように、通信システム２では、送信装置３０の端子１１Ｐと端子１１Ｄとを互いに接続し、端子１１Ｄを介して受け取った電源電圧Ｖｐ２に基づいて各ブロックが動作するようにしたので、シンプルな構成で、受信装置２０は送信装置３０に対して電力を供給することができる。すなわち、例えば、ＵＳＢ（登録商標）３．１のように、通信相手と事前に通信を行うことにより、どちらが電力を供給するかを決める場合には、構成が複雑になってしまうおそれがある。一方、通信システム２では、送信装置３０において、端子１１Ｐと端子１１Ｄとを接続したので、特別な処理を行うことなく、受信装置２０は送信装置３０に対して電力を供給し、送信装置３０は受信装置２０から電力を受け取ることができる。その結果、通信システム２では、シンプルな構成を実現することができる。
【００５１】
また、送信装置３０では、端子１１Ｄを介して受け取った電源電圧Ｖｐ２を、端子１１Ｐを介して出力するようにしたので、受信装置２０は、通信相手（送信装置３０）に、送信装置１０（図１）の電源部１２のような電源部がない場合でも、その通信相手が受信装置２０に接続されたことを検出することができる。すなわち、受信装置２０は、通信相手が、送信装置３０（図２）である場合でも、第１の実施の形態に係る送信装置１０（図１）である場合にも、同様の動作を行うことができる。このように、受信装置２０は、送信装置１０，３０の両方と接続することができるので、システムの自由度を高めることができる。
【００５２】
また、送信装置３０では、受信装置２０から供給された電力（電源電圧Ｖｐ２）に基づいて動作するようにしたので、電源やバッテリを有しない電子機器などを含む様々な電子機器に搭載することができる。
【００５３】
以上のように本実施の形態では、送信装置の端子１１Ｐと端子１１Ｄとを接続し、端子１１Ｄを介して受け取った電源電圧Ｖｐ２に基づいて各ブロックが動作するようにしたので、シンプルな構成で、受信装置が送信装置に対して電力を供給することができる。
【００５４】
本実施の形態では、端子１１Ｄを介して受け取った電源電圧Ｖｐ２を、端子１１Ｐを介して出力するようにしたので、受信装置は、送信装置が電源部を有しない場合でも、その送信装置が接続されたことを検出することができる。
【００５５】
その他の効果は、上記第１の実施の形態の場合と同様である。
【００５６】
［変形例２−１］
上記実施の形態では、電源部を有しない送信装置３０と、電源部を有する受信装置２０を用いて通信システム２を構成したが、これに限定されるものではなく、これに代えて、例えば、図３に示す通信システム２Ｂのように、電源部を有する送信装置１０と、電源部を有しない受信装置４０を用いて通信システム２Ｂを構成してもよい。この受信装置４０は、コネクタ２１と、接続検出部２３と、受信部２４とを有している。すなわち、受信装置４０では、上記実施の形態に係る受信装置２０と異なり、電源部２２を有しないものである。また、受信装置４０では、端子１１Ｐと端子１１Ｄとが互いに接続されている。接続検出部２３および受信回路２６は、この例では、半導体チップ４０ＩＣに集積されている。
【００５７】
ここで、半導体チップ４０ＩＣは、本開示における「通信装置」の一具体例に対応する。端子２９Ｐは、本開示における「第１の端子」の一具体例に対応し、端子２９Ｄは、本開示における「第２の端子」の一具体例に対応する。受信回路２６は、本開示における「通信部」の一具体例に対応する。接続検出部２３は、本開示における「通信制御部」の一具体例に対応する。
【００５８】
送信装置１０と受信装置４０とがケーブル９０を介して接続されると、送信装置１０の電源部１２が生成した電源電圧Ｖｐ１は、端子１１Ｐ、電線９０１、および端子２１Ｄを介して、受信装置４０の接続検出部２３に供給されるとともに、受信装置４０内の各ブロックに供給される。これにより、受信装置４０は、光信号を受信することができる状態になる。このようにして受信装置４０に供給された電源電圧Ｖｐ１は、さらに、端子２１Ｐ、電線９０２、および端子１１Ｄを介して、送信装置１０の接続検出部１３に供給される。これにより、送信装置１０は、光信号を送信することができる状態になる。
【００５９】
＜３．第３の実施の形態＞
次に、第３の実施の形態に係る通信システム３について説明する。本実施の形態は、送信装置の構成が、上記第１の実施の形態と異なるものである。すなわち、上記第１の実施の形態（図１）では、電源部１２を有する送信装置１０を用いたが、これに代えて、本実施の形態では、バッテリを有する送信装置を用いている。なお、上記第１の実施の形態に係る通信システム１と実質的に同一の構成部分には同一の符号を付し、適宜説明を省略する。
【００６０】
図４は、通信システム３の一構成例を表すものである。通信システム３は、送信装置５０を備えている。送信装置５０は、受信装置２０に対してデータを送信するものである。送信装置５０は、バッテリ５１と、電圧検出部５２と、スイッチ５３とを有している。バッテリ５１は、電力を蓄えるものである。電圧検出部５２は、バッテリ５１の出力電圧を検出し、その検出結果に基づいて、スイッチ５３を制御するものである。具体的には、電圧検出部５２は、バッテリ５１の出力電圧が所定の電圧より高い場合には、スイッチ５３をオフ状態にし、それ以外の場合には、スイッチ５３をオン状態にするようになっている。スイッチ５３は、端子１１Ｐと端子１１Ｄとの間に挿入されたものであり、電圧検出部５２からの指示に基づいてオンオフする。この構成により、送信装置５０は、バッテリ５１が十分に充電されていない場合には、受信装置２０から供給された電力（電源電圧Ｖｐ２）に基づいて動作するようになっている。電圧検出部５２、スイッチ５３、接続検出部１３、および送信回路１５は、この例では、半導体チップ５０ＩＣに集積されている。
【００６１】
ここで、半導体チップ５０ＩＣは、本開示における「通信装置」の一具体例に対応する。端子１９Ｐは、本開示における「第１の端子」の一具体例に対応し、端子１９Ｄは、本開示における「第２の端子」の一具体例に対応する。送信回路１５は、本開示における「通信部」の一具体例に対応する。接続検出部１３は、本開示における「通信制御部」の一具体例に対応する。電圧検出部５２は、本開示における「スイッチ制御部」の一具体例に対応する。
【００６２】
次に、通信システム３における動作について、バッテリ５１が十分に充電されている場合（ケースＣ１）と、バッテリ５１が十分に充電されていない場合（ケースＣ２）を例に説明する。
【００６３】
（ケースＣ１）
図５Ａは、バッテリ５１が十分に充電されている場合（ケースＣ１）における通信システム３の一動作例を表すものである。
【００６４】
ケースＣ１では、バッテリ５１は十分に充電されており、バッテリ５１の出力電圧（電源電圧Ｖｐ５）は所定の電圧よりも高くなっている。よって、送信装置５０の電圧検出部５２は、スイッチ５３をオフ状態にする。また、この電源電圧Ｖｐ５は、送信装置５０内の各ブロックに供給される。これにより、送信装置５０内の各ブロックは動作可能な状態になる。なお、この電源電圧Ｖｐ５を、送信装置５０内の各ブロックに供給する際、例えば、レギュレータを用いて電圧を変換し、その変換された電圧を供給してもよい。
【００６５】
受信装置２０では、電源部２２が、直流の電源電圧Ｖｐ２，Ｖｐ２１を生成する。電源電圧Ｖｐ２は、端子２１Ｐに供給される。また、電源電圧Ｖｐ２１は、受信装置２０内の各ブロックに供給される。これにより、受信装置２０内の各ブロックは動作可能な状態になる。
【００６６】
送信装置５０と受信装置２０とがケーブル９０を介して接続されると、受信装置２０の電源部２２が生成した電源電圧Ｖｐ２は、端子２１Ｐ、電線９０２、および端子１１Ｄを介して、送信装置５０の接続検出部１３に供給される。接続検出部１３は、この電源電圧Ｖｐ２を検出することにより、受信装置２０がケーブル９０を介して送信装置５０に接続されたと判断する。そして、接続検出部１３は、送信部１４をオン状態に設定する。これにより、送信装置５０は、光信号を送信することができる状態になる。
【００６７】
これと同時に、送信装置５０のバッテリ５１が出力した電源電圧Ｖｐ５は、端子１１Ｐ、電線９０１、および端子２１Ｄを介して、受信装置２０の接続検出部２３に供給される。接続検出部２３は、この電源電圧Ｖｐ５を検出することにより、送信装置５０がケーブル９０を介して受信装置２０に接続されたと判断する。そして、接続検出部２３は、受信部２４をオン状態に設定する。これにより、受信装置２０は、光信号を受信することができる状態になる。
【００６８】
（ケースＣ２）
図５Ｂは、バッテリ５１が十分に充電されていない場合（ケースＣ２）における通信システム３の一動作例を表すものである。
【００６９】
ケースＣ２では、バッテリ５１は十分に充電されておらず、バッテリ５１の出力電圧は所定の電圧に達していない。よって、送信装置５０の電圧検出部５２は、スイッチ５３をオン状態にする。
【００７０】
受信装置２０では、電源部２２は、直流の電源電圧Ｖｐ２，Ｖｐ２１を生成する。電源電圧Ｖｐ２は、端子２１Ｐに供給される。また、電源電圧Ｖｐ２１は、受信装置２０内の各ブロックに供給される。これにより、受信装置２０内の各ブロックは動作可能な状態になる。
【００７１】
送信装置５０と受信装置２０とがケーブル９０を介して接続されると、受信装置２０の電源部２２が生成した電源電圧Ｖｐ２は、端子２１Ｐ、電線９０２、および端子１１Ｄを介して、送信装置５０の接続検出部１３に供給され、さらにスイッチ５３を介して、バッテリ５１および送信装置５０内の各ブロックに供給される。これにより、送信装置５０内の各ブロックは動作可能な状態になるとともに、バッテリ５１が充電される。なお、この電源電圧Ｖｐ２を、送信装置５０内の各ブロックに供給する際、例えば、レギュレータを用いて電圧を変換し、その変換された電圧を供給してもよい。また、接続検出部１３は、この電源電圧Ｖｐ２を検出することにより、受信装置２０がケーブル９０を介して送信装置５０に接続されたと判断する。そして、接続検出部１３は、送信部１４をオン状態に設定する。これにより、送信装置５０は、光信号を送信することができる状態になる。
【００７２】
このようにして送信装置５０に供給された電源電圧Ｖｐ２は、さらに、端子１１Ｐ、電線９０１、および端子２１Ｄを介して、受信装置２０の接続検出部２３に供給される。接続検出部２３は、この電源電圧Ｖｐ２を検出することにより、送信装置５０がケーブル９０を介して受信装置２０に接続されたと判断する。そして、接続検出部２３は、受信部２４をオン状態に設定する。これにより、受信装置２０は、光信号を受信することができる状態になる。
【００７３】
このように、送信装置５０では、端子１１Ｐと端子１１Ｄとの間にスイッチ５３を設け、バッテリ５１における充電レベルに応じてスイッチ５３をオンオフした。これにより、バッテリ５１が十分に充電されている場合（ケースＣ１）には、通信システム３は、第１の実施の形態に係る通信システム１（図１）と同様に動作する。すなわち、ケースＣ１では、送信装置５０は、送信装置５０のバッテリ５１が供給する電力に基づいて動作し、受信装置２０は、受信装置２０の電源部２２が供給する電力に基づいて動作する。一方、バッテリ５１が十分に充電されていない場合（ケースＣ２）には、通信システム３は、第２の実施の形態に係る通信システム２（図２）と同様に動作する。すなわち、ケースＣ２では、受信装置２０は、給電装置としても機能し、送信装置５０内の各ブロックに電源電圧Ｖｐ２を供給するとともに、送信装置５０のバッテリ５１を充電することができる。
【００７４】
以上のように本実施の形態では、送信装置の端子１１Ｐと端子１１Ｄとの間にスイッチを設け、バッテリにおける充電レベルに応じてスイッチをオンオフしたので、バッテリが十分に充電されていない場合に、受信装置が送信装置に対して電力を供給することができる。その他の効果は、上記第１および第２の実施の形態の場合と同様である。
【００７５】
［変形例３−１］
上記実施の形態では、バッテリ５１を有する送信装置５０と、電源部２２を有する受信装置２０を用いて通信システム３を構成したが、これに限定されるものではなく、これに代えて、例えば、図６に示す通信システム３Ｂのように、電源部１２を有する送信装置１０と、バッテリ６１を有する受信装置６０を用いて通信システムを構成してもよい。この受信装置６０は、バッテリ６１と、電圧検出部６２と、スイッチ６３とを有している。バッテリ６１は、電力を蓄えるものである。電圧検出部６２は、バッテリ６１の出力電圧を検出し、その検出結果に基づいて、スイッチ６３を制御するものである。スイッチ６３は、端子２１Ｐと端子２１Ｄとの間に挿入されたものであり、電圧検出部６２からの指示に基づいてオンオフするようになっている。電圧検出部６２、スイッチ６３、接続検出部２３、および受信回路２６は、この例では、半導体チップ６０ＩＣに集積されている。
【００７６】
ここで、半導体チップ６０ＩＣは、本開示における「通信装置」の一具体例に対応する。端子２９Ｐは、本開示における「第１の端子」の一具体例に対応し、端子２１Ｐは、本開示における「第２の端子」の一具体例に対応する。受信回路２６は、本開示における「通信部」の一具体例に対応する。接続検出部２３は、本開示における「通信制御部」の一具体例に対応する。電圧検出部６２は、本開示における「スイッチ制御部」の一具体例に対応する。
【００７７】
バッテリ６１が十分に充電されている場合には、電圧検出部６２は、上記実施の形態の場合と同様に、スイッチ６３をオフ状態にする。これにより、通信システム３Ｂは、上記第１の実施の形態に係る通信システム１（図１）と同様に動作する。また、バッテリ６１が十分に充電されていない場合には、電圧検出部６２は、上記実施の形態の場合と同様に、スイッチ６３をオン状態にする。これにより、通信システム３Ｂは、上記第２の実施の形態の変形例に係る通信システム２Ｂ（図３）と同様に動作する。すなわち、この場合には、送信装置１０は、給電装置としても機能し、受信装置６０内の各ブロックに電源電圧Ｖｐ１を供給するとともに、受信装置６０のバッテリ６１を充電することができる。
【００７８】
＜４．第４の実施の形態＞
次に、第４の実施の形態に係る通信システム４について説明する。本実施の形態は、通信システムの構成が、上記第３の実施の形態と異なるものである。すなわち、上記第３の実施の形態（図４）では、バッテリ５１を有する送信装置５０と、電源部２２を有する受信装置２０とを用いて通信システム３を構成したが、これに代えて、本実施の形態では、電源部を有しない送信装置と、バッテリを有する受信装置とを用いて通信システム４を構成している。なお、上記第１〜第３の実施の形態に係る通信システム１〜３と実質的に同一の構成部分には同一の符号を付し、適宜説明を省略する。
【００７９】
図７は、通信システム４の一構成例を表すものである。通信システム４は、送信装置３０と、受信装置６０とを備えている。送信装置３０は、受信装置６０に対してデータを送信するものであり、第２の実施の形態（図２）において説明したように、電源部を有しないものである。受信装置６０は、送信装置３０から送信されたデータを受信するものであり、第３の実施の形態の変形例（図６）において説明したように、バッテリ６１を有するものである。
【００８０】
次に、通信システム４における動作について、バッテリ６１が十分に充電されている場合（ケースＣ３）と、バッテリ６１が十分に充電されていない場合（ケースＣ４）を例に説明する。
【００８１】
（ケースＣ３）
図８Ａは、バッテリ６１が十分に充電されている場合（ケースＣ３）における通信システム４の一動作例を表すものである。
【００８２】
ケースＣ３では、バッテリ６１は十分に充電されており、バッテリ６１の出力電圧（電源電圧Ｖｐ６）は所定の電圧よりも高くなっている。よって、受信装置６０の電圧検出部６２は、スイッチ６３をオフ状態にする。また、この電源電圧Ｖｐ６は、受信装置６０内の各ブロックに供給される。これにより、受信装置６０内の各ブロックは動作可能な状態になる。
【００８３】
送信装置３０と受信装置６０とがケーブル９０を介して接続されると、受信装置６０のバッテリ６１が出力した電源電圧Ｖｐ６は、端子２１Ｐ、電線９０２、および端子１１Ｄを介して、送信装置３０の接続検出部１３に供給されるとともに、送信装置３０内の各ブロックに供給される。これにより、送信装置３０内の各ブロックは動作可能な状態になる。また、接続検出部１３は、この電源電圧Ｖｐ６を検出することにより、受信装置６０がケーブル９０を介して送信装置３０に接続されたと判断する。そして、接続検出部１３は、送信部１４をオン状態に設定する。これにより、送信装置３０は、光信号を送信することができる状態になる。
【００８４】
このようにして送信装置３０に供給された電源電圧Ｖｐ６は、さらに、端子１１Ｐ、電線９０１、および端子２１Ｄを介して、受信装置６０の接続検出部２３に供給される。接続検出部２３は、この電源電圧Ｖｐ６を検出することにより、送信装置３０がケーブル９０を介して受信装置６０に接続されたと判断する。そして、接続検出部２３は、受信部２４をオン状態に設定する。これにより、受信装置６０は、光信号を受信することができる状態になる。
【００８５】
（ケースＣ４）
図８Ｂは、バッテリ６１が十分に充電されていない場合（ケースＣ４）における通信システム４の一動作例を表すものである。ケースＣ４では、バッテリ６１は十分に充電されておらず、バッテリ６１の出力電圧は所定の電圧に達していない。よって、受信装置６０の電圧検出部６２は、スイッチ６３をオン状態にする。
【００８６】
ケースＣ４では、送信装置３０は電源部を有しておらず、また、受信装置６０は、バッテリ６１が十分に充電されていない。よって、通信システム４は動作しない。
【００８７】
このように、通信システム４では、電源部を有しない送信装置３０と、バッテリ６１を有する受信装置６０とを用いた。これにより、バッテリ６１が十分に充電されている場合（ケースＣ３）には、通信システム４は、第２の実施の形態に係る通信システム２（図２）と同様に動作する。すなわち、このケースＣ３では、受信装置６０は、給電装置としても機能し、送信装置３０内の各ブロックに電源電圧Ｖｐ６を供給する。一方、バッテリ６１が十分に充電されていない場合（ケースＣ４）には、通信システム４は動作しない。
【００８８】
以上のように本実施の形態では、電源部を有しない送信装置と、バッテリを有する受信装置とを用いて通信システムを構成したので、バッテリが十分に充電されている場合において、受信装置は送信装置に対して電力を供給することができる。その他の効果は、上記第１〜第３の実施の形態の場合と同様である。
【００８９】
［変形例４−１］
上記実施の形態では、電源部を有しない送信装置３０と、バッテリ６１を有する受信装置６０とを用いて通信システム４を構成したが、これに限定されるものではなく、これに代えて、例えば、図９に示す通信システム４Ｂのように、バッテリ５１を有する送信装置５０と、電源部を有しない受信装置４０を用いて通信システムを構成してもよい。
【００９０】
バッテリ５１が十分に充電されている場合には、電圧検出部５２は、スイッチ５３をオフ状態にする。これにより、通信システム４Ｂは、上記第２の実施の形態の変形例に係る通信システム２Ｂ（図３）と同様に動作する。すなわち、この場合には、送信装置５０は、給電装置としても機能し、受信装置４０内の各ブロックに電源電圧Ｖｐ５を供給する。また、バッテリ５１が十分に充電されていない場合には、電圧検出部５２は、スイッチ５３をオン状態にする。この場合には、通信システム４Ｂは動作しない。
【００９１】
＜５．第５の実施の形態＞
次に、第５の実施の形態に係る通信システム５について説明する。本実施の形態は、通信システムの構成が、上記第３および第４の実施の形態と異なるものである。すなわち、上記第３および第４の実施の形態（図４，７）では、送信装置および受信装置のうちの一方がバッテリを有するようにしたが、これに代えて、本実施の形態では、送信装置および受信装置の両方がバッテリを有するようにしている。なお、上記第３および第４の実施の形態に係る通信システム３，４と実質的に同一の構成部分には同一の符号を付し、適宜説明を省略する。
【００９２】
図１０は、通信システム５の一構成例を表すものである。通信システム５は、送信装置５０と、受信装置６０とを備えている。送信装置５０は、受信装置６０に対してデータを送信するものであり、第３の実施の形態（図４）において説明したように、バッテリ５１を有するものである。受信装置６０は、送信装置５０から送信されたデータを受信するものであり、第３の実施の形態の変形例（図６）において説明したように、バッテリ６１を有するものである。
【００９３】
次に、通信システム５における動作について、バッテリ５１，６１がともに十分に充電されている場合（ケースＣ５）と、バッテリ６１が十分に充電されるとともにバッテリ５１が十分に充電されていない場合（ケースＣ６）と、バッテリ５１が十分に充電されるとともにバッテリ６１が十分に充電されていない場合（ケースＣ７）と、バッテリ５１，６１がともに十分に充電されていない場合（ケースＣ８）とを例に説明する。
【００９４】
（ケースＣ５）
図１１Ａは、バッテリ５１，６１がともに十分に充電されている場合（ケースＣ５）における通信システム５の一動作例を表すものである。
【００９５】
ケースＣ５では、バッテリ５１は十分に充電されており、バッテリ５１の出力電圧（電源電圧Ｖｐ５）は所定の電圧よりも高くなっている。よって、送信装置５０の電圧検出部５２は、スイッチ５３をオフ状態にする。また、この電源電圧Ｖｐ５は、送信装置５０内の各ブロックに供給される。これにより、送信装置５０内の各ブロックは動作可能な状態になる。
【００９６】
全く同様に、バッテリ６１は十分に充電されており、バッテリ６１の出力電圧（電源電圧Ｖｐ６）は所定の電圧よりも高くなっている。よって、受信装置６０の電圧検出部６２は、スイッチ６３をオフ状態にする。また、この電源電圧Ｖｐ６は、受信装置６０内の各ブロックに供給される。これにより、受信装置６０内の各ブロックは動作可能な状態になる。
【００９７】
送信装置５０と受信装置６０とがケーブル９０を介して接続されると、受信装置６０のバッテリ６１が出力した電源電圧Ｖｐ６は、端子２１Ｐ、電線９０２、および端子１１Ｄを介して、送信装置５０の接続検出部１３に供給される。接続検出部１３は、この電源電圧Ｖｐ６を検出することにより、受信装置６０がケーブル９０を介して送信装置５０に接続されたと判断する。そして、接続検出部１３は、送信部１４をオン状態に設定する。これにより、送信装置５０は、光信号を送信することができる状態になる。
【００９８】
これと同時に、送信装置５０のバッテリ５１が出力した電源電圧Ｖｐ５は、端子１１Ｐ、電線９０１、および端子２１Ｄを介して、受信装置６０の接続検出部２３に供給される。接続検出部２３は、この電源電圧Ｖｐ５を検出することにより、送信装置５０がケーブル９０を介して受信装置６０に接続されたと判断する。そして、接続検出部２３は、受信部２４をオン状態に設定する。これにより、受信装置６０は、光信号を受信することができる状態になる。
【００９９】
（ケースＣ６）
図１１Ｂは、バッテリ６１が十分に充電されるとともにバッテリ５１が十分に充電されていない場合（ケースＣ６）における通信システム５の一動作例を表すものである。
【０１００】
ケースＣ６では、バッテリ５１は十分に充電されておらず、バッテリ５１の出力電圧は所定の電圧に達していない。よって、送信装置５０の電圧検出部５２は、スイッチ５３をオン状態にする。
【０１０１】
一方、バッテリ６１は十分に充電されており、バッテリ６１の出力電圧（電源電圧Ｖｐ６）は所定の電圧よりも高くなっている。よって、受信装置６０の電圧検出部６２は、スイッチ６３をオフ状態にする。また、この電源電圧Ｖｐ６は、受信装置６０内の各ブロックに供給される。これにより、受信装置６０内の各ブロックは動作可能な状態になる。
【０１０２】
送信装置５０と受信装置６０とがケーブル９０を介して接続されると、受信装置６０のバッテリ６１が出力した電源電圧Ｖｐ６は、端子２１Ｐ、電線９０２、および端子１１Ｄを介して、送信装置５０の接続検出部１３に供給され、さらにスイッチ５３を介して、送信装置５０内の各ブロックに供給される。これにより、送信装置５０内の各ブロックは動作可能な状態になる。また、接続検出部１３は、この電源電圧Ｖｐ６を検出することにより、受信装置６０がケーブル９０を介して送信装置５０に接続されたと判断する。そして、接続検出部１３は、送信部１４をオン状態に設定する。これにより、送信装置５０は、光信号を送信することができる状態になる。
【０１０３】
このようにして送信装置５０に供給された電源電圧Ｖｐ６は、さらに、端子１１Ｐ、電線９０１、および端子２１Ｄを介して、受信装置６０の接続検出部２３に供給される。接続検出部２３は、この電源電圧Ｖｐ６を検出することにより、送信装置５０がケーブル９０を介して受信装置６０に接続されたと判断する。そして、接続検出部２３は、受信部２４をオン状態に設定する。これにより、受信装置６０は、光信号を受信することができる状態になる。
【０１０４】
（ケースＣ７）
図１１Ｃは、バッテリ５１が十分に充電されるとともにバッテリ６１が十分に充電されていない場合（ケースＣ７）における通信システム５の一動作例を表すものである。
【０１０５】
ケースＣ７では、バッテリ５１は十分に充電されており、バッテリ５１の出力電圧（電源電圧Ｖｐ５）は所定の電圧よりも高くなっている。よって、送信装置５０の電圧検出部５２は、スイッチ５３をオフ状態にする。また、この電源電圧Ｖｐ５は、送信装置５０内の各ブロックに供給される。これにより、送信装置５０内の各ブロックは動作可能な状態になる。
【０１０６】
一方、バッテリ６１は十分に充電されておらず、バッテリ６１の出力電圧は所定の電圧に達していない。よって、受信装置６０の電圧検出部６２は、スイッチ６３をオン状態にする。
【０１０７】
送信装置５０と受信装置６０とがケーブル９０を介して接続されると、送信装置５０のバッテリ５１が出力した電源電圧Ｖｐ５は、端子１１Ｐ、電線９０１、および端子２１Ｄを介して、受信装置６０の接続検出部２３に供給され、さらにスイッチ６３を介して、受信装置６０内の各ブロックに供給される。これにより、受信装置６０内の各ブロックは動作可能な状態になる。また、接続検出部２３は、この電源電圧Ｖｐ５を検出することにより、送信装置５０がケーブル９０を介して受信装置６０に接続されたと判断する。そして、接続検出部２３は、受信部２４をオン状態に設定する。これにより、受信装置６０は、光信号を受信することができる状態になる。
【０１０８】
このようにして受信装置６０に供給された電源電圧Ｖｐ５は、さらに、端子２１Ｐ、電線９０２、および端子１１Ｄを介して、送信装置５０の接続検出部１３に供給される。接続検出部１３は、この電源電圧Ｖｐ５を検出することにより、受信装置６０がケーブル９０を介して送信装置５０に接続されたと判断する。そして、接続検出部１３は、送信部１４をオン状態に設定する。これにより、送信装置５０は、光信号を送信することができる状態になる。
【０１０９】
（ケースＣ８）
図１１Ｄは、バッテリ５１，６１がともに十分に充電されていない場合（ケースＣ８）における通信システム５の一動作例を表すものである。ケースＣ８では、バッテリ５１は十分に充電されておらず、バッテリ５１の出力電圧は所定の電圧に達していない。よって、送信装置５０の電圧検出部５２は、スイッチ５３をオン状態にする。同様に、バッテリ６１は十分に充電されておらず、バッテリ６１の出力電圧は所定の電圧に達していない。よって、受信装置６０の電圧検出部６２は、スイッチ６３をオン状態にする。
【０１１０】
ケースＣ８では、送信装置５０では、バッテリ５１が十分に充電されておらず、受信装置６０では、バッテリ６１が十分に充電されていない。よって、通信システム５は動作しない。
【０１１１】
このように、通信システム５では、バッテリ５１を有する送信装置５０と、バッテリ６１を有する受信装置６０とを用いた。これにより、バッテリ５１，６１がともに十分に充電されている場合（ケースＣ５）には、通信システム５は、第１の実施の形態に係る通信システム１（図１）と同様に動作する。すなわち、ケースＣ５では、送信装置５０は、送信装置５０のバッテリ５１が供給する電力に基づいて動作し、受信装置６０は、受信装置６０のバッテリ６１が供給する電力に基づいて動作する。また、バッテリ５１，６１のうちの一方が十分に充電されており、他方が十分に充電されていない場合（ケースＣ６，Ｃ７）には、通信システム５は、第２の実施の形態に係る通信システム２，２Ｂ（図２，３）と同様に動作する。すなわち、例えばケースＣ６では、受信装置６０は、給電装置としても機能し、送信装置５０内の各ブロックに電源電圧Ｖｐ６を供給するとともに、送信装置５０のバッテリ５１を充電することができる。また、例えばケースＣ７では、送信装置５０は、給電装置としても機能し、受信装置６０内の各ブロックに電源電圧Ｖｐ５を供給するとともに、受信装置６０のバッテリ６１を充電することができる。また、バッテリ５１，６１がともに十分に充電されていない場合（ケースＣ８）には、通信システム５は動作しない。
【０１１２】
以上のように本実施の形態では、バッテリを有する送信装置と、バッテリを有する受信装置とを用いて通信システムを構成したので、２つのバッテリのうちの一方が十分に充電されている場合において、その一方のバッテリを有する装置が、他方のバッテリを有する装置に対して電力を供給することができる。その他の効果は、上記第３および第４の実施の形態の場合と同様である。
【０１１３】
以上、いくつかの実施の形態および変形例を挙げて本技術を説明したが、本技術はこれらの実施の形態等には限定されず、種々の変形が可能である。
【０１１４】
例えば、上記の各実施の形態では、送信部１４と受信部２４とを１本の光ファイバ９０４により接続したが、これに限定されるものではなく、これに代えて、例えば、図１２に示す通信システム１Ａのように、送信部と受信部とを複数の光ファイバにより接続してもよい。この通信システム１Ａは、上記第１の実施の形態に係る通信システム１に本変形例を適用したものである。なお、これに限定されるものではなく、本変形例は、上記各実施の形態に適用することができる。通信システム１Ａは、ケーブル９０Ａと、送信装置１０Ａと、受信装置２０Ａとを備えている。ケーブル９０Ａは、光ファイバ９０４，９０５を有している。光ファイバ９０４，９０５は、送信装置１０Ａから受信装置２０Ａに光信号を伝えるものである。光ファイバ９０４の一端は送信装置１０Ａの端子１１Ｃ１に接続され、他端は受信装置２０Ａの端子２１Ｃ１に接続されている。光ファイバ９０５の一端は送信装置１０Ａの端子１１Ｃ２に接続され、他端は受信装置２０Ａの端子２１Ｃ２に接続されている。送信装置１０Ａは、送信部１４Ａを有している。送信部１４Ａは、送信回路１５Ａ、発光部１６Ａとを有している。電源部１２、接続検出部１３、および送信回路１５Ａは、この例では、半導体チップ１０ＡＩＣに集積されている。受信装置２０Ａは、受信部２４Ａを有している。受信部２４Ａは、受光部２５Ａと、受信回路２６Ａとを有している。電源部２２、接続検出部２３、および受信回路２６Ａは、この例では、半導体チップ２０ＡＩＣに集積されている。送信部１４Ａは、２本の光ファイバ９０４，９０５を介して、受信部２４Ａに対して光信号を送信するようになっている。
【０１１５】
また、例えば、上記の各実施の形態では、送信装置から受信装置へ一方向に光信号を送信したが、これに限定されるものではない。例えば、図１３に示す通信システム１Ｂのように、双方向に光信号を送信してもよい。この通信システム１Ｂは、上記第１の実施の形態に係る通信システム１に本変形例を適用したものである。なお、これに限定されるものではなく、本変形例は、上記各実施の形態に適用することができる。通信システム１Ｂは、ケーブル９０Ａと、通信装置７０，８０とを備えている。ケーブル９０Ａは、光ファイバ９０４，９０５を有している。光ファイバ９０４は、通信装置７０から通信装置８０に光信号を伝えるものであり、光ファイバ９０５は、通信装置８０から通信装置７０に光信号を伝えるものである。通信装置７０は、通信部７１を有している。通信部７１は、送信回路７２と、発光部７３と、受光部７４と、受信回路７５とを有している。電源部１２、接続検出部１３、送信回路７２、および受信回路７５は、この例では、半導体チップ７０ＩＣに集積されている。通信装置８０は、通信部８１を有している。通信部８１は、送信回路８２と、発光部８３と、受光部８４と、受信回路８５とを有している。電源部２２、接続検出部２３、送信回路８２、および受信回路８５は、この例では、半導体チップ８０ＩＣに集積されている。通信部７１は、光ファイバ９０４を介して、通信部８１に対して光信号を送信し、通信部８１は、光ファイバ９０５を介して、通信部７１に対して光信号を送信するようになっている。
【０１１６】
また、例えば、上記の各実施の形態では、互いに接続されるべき送信装置の端子と受信装置の端子のペアがあらかじめ決まっているものとしたが、これに限定されるものではない。例えば、ケーブルのコネクタを送信装置のコネクタにリバーシブルに結合できるようにしてもよいし、ケーブルのコネクタを受信装置のコネクタにリバーシブルに結合できるようにしてもよい。以下に、一例として、ケーブルのコネクタを受信装置のコネクタにリバーシブルに結合できるように構成した通信システム１Ｃについて説明する。
【０１１７】
図１４Ａは、ある接続状態における通信システム１Ｃの一例を表すものであり、図１４Ｂは、他の接続状態における通信システム１Ｃの一例を表すものである。この通信システム１Ｃは、上記第１の実施の形態に係る通信システム１に本変形例を適用したものである。なお、これに限定されるものではなく、本変形例は、上記各実施の形態に適用することができる。通信システム１Ｃは、ケーブル９０Ｃと、送信装置１０Ｃと、受信装置２０Ｃとを備えている。
【０１１８】
ケーブル９０Ｃは、電線９０１〜９０３と、光ファイバ９０４〜９０７を有している。電線９０１〜９０３の一端は、送信装置１０Ｃの端子１１Ｐ，１１Ｄ，１１Ｇにそれぞれ接続され、光ファイバ９０４〜９０７の一端は、送信装置１０Ｃの端子１１Ｃ１〜１１Ｃ４にそれぞれ接続される。一方、電線９０１〜９０３の他端および光ファイバ９０４〜９０７の他端が接続される受信装置２０Ｃの端子は、接続状態により異なる。すなわち、受信装置２０Ｃのコネクタ２１は、電気信号用の端子２１Ｐ１，２１Ｐ２，２１Ｄ１，２１Ｄ２，２１Ｇ１，２１Ｇ２と、光信号用の端子２１Ｃ１〜２１Ｃ４とを有している。そして、図１４Ａの例では、電線９０１〜９０３の他端は、受信装置２０Ｃの端子２１Ｄ１，２１Ｐ１，２１Ｇ１にそれぞれ接続され、光ファイバ９０４〜９０７の他端は、受信装置２０Ｃの端子２１Ｃ１〜２１Ｃ４にそれぞれ接続される。また、図１４Ｂの例では、電線９０１〜９０３の他端は、受信装置２０Ｃの端子２１Ｄ２，２１Ｐ２，２１Ｇ２にそれぞれ接続され、光ファイバ９０４〜９０７の他端は、受信装置２０Ｃの端子２１Ｃ４〜２１Ｃ１にそれぞれ接続される。
【０１１９】
送信装置１０Ｃは、送信部１４Ａを有している。送信部１４Ａは、送信回路１５Ｃと、発光部１６Ｃとを有している。電源部１２、接続検出部１３、および送信回路１５Ｃは、この例では、半導体チップ１０ＣＩＣに集積されている。
【０１２０】
受信装置２０Ｃは、電源部２２と、接続検出部２３Ａ，２３Ｂと、受信部２４Ｃを有している。電源部２２は、端子２１Ｐ１，２１Ｐ２に接続されている。接続検出部２３Ａは端子２１Ｄ１に接続され、接続検出部２３Ｂは端子２１Ｄ２に接続されている。受信部２４Ｃは、受光部２５Ｃと、受信回路２６Ｃとを有している。電源部２２、接続検出部２３Ａ，２３Ｂ、および受信回路２６Ｃは、この例では、半導体チップ２０ＣＩＣに集積されている。この半導体チップ２０ＣＩＣは、端子２９Ｐ，２９Ｄ１，２９Ｄ２，２９Ｇを有している。端子２９Ｐはコネクタ２１の端子２１Ｐ１，２１Ｐ２に接続され、端子２９Ｄ１はコネクタ２１の端子２１Ｄ１に接続され、端子２９Ｄ２はコネクタ２１の端子２１Ｄ２に接続され、端子２９Ｇはコネクタ２１の端子２１Ｇ１，２１Ｇ２に接続されている。
【０１２１】
送信部１４Ｃは、４本の光ファイバ９０４〜９０７を介して、受信部２４Ｃに対して光信号を送信する。その際、受信部２４Ｃは、接続検出部２３Ａ，２３Ｂのうちのどちらが、送信装置１０Ｃの電源部１２から供給された電源電圧Ｖｐ１を検出したかに基づいて、接続状態（図１４Ａまたは図１４Ｂ）を検出する。これにより、受信回路２６Ｃは、検出した接続状態に基づいて、光ファイバ９０４〜９０７を介して受信した４つの信号ストリームを、並べ変えることができる。
【０１２２】
なお、この例では、２つの接続検出部２３Ａ，２３Ｂを設けたが、これに限定されるものではなく、例えば、図１５に示す通信システム１Ｄのように、１つの接続検出部を時分割的に用いるようにしてもよい。通信システム１Ｄは、受信装置２０Ｄを備えている。受信装置２０Ｄは、接続検出部２３と、受信部２４Ｄと、スイッチ２８Ｄとを有している。受信部２４Ｄは、受信回路２６Ｄを有している。電源部２２、接続検出部２３、および受信回路２６Ｄは、この例では、半導体チップ２０ＤＩＣに集積されている。受信回路２６Ｄは、スイッチ２８Ｄを制御し、端子２１Ｄ１または端子２１Ｄ２を、接続検出部２３に時分割的に接続する。これにより、受信回路２６Ｄは、接続状態（図１４Ａまたは図１４Ｂ）を検出する。
【０１２３】
また、この例では、受信装置が接続状態を検出したが、これに限定されるものではなく、送信装置が接続状態を検出してもよい。この場合には、送信回路が、検出した接続状態に基づいて、４つの信号ストリームを並び替えて送信することができる。
【０１２４】
また、例えば、上記の各実施の形態では、接続検出部１３，２３による検出結果に基づいて送受信動作を制御したが、これに限定されるものではない。これに代えて、例えば、図１６に示す通信システム１Ｅのように、接続検出部１３，２３による検出結果に加え、自らが出力する電源電圧にも基づいて、送受信動作を制御してもよい。この通信システム１Ｅは、上記第１の実施の形態に係る通信システム１に本変形例を適用したものである。なお、これに限定されるものではなく、本変形例は、上記各実施の形態に適用することができる。通信システム１Ｅは、ケーブル９０と、送信装置１０Ｅと、受信装置２０Ｅとを備えている。
【０１２５】
送信装置１０Ｅは、スイッチ１７と、電圧検出部１８と、制御部１００とを有している。電源部１２、スイッチ１７、接続検出部１３、電圧検出部１８、制御部１００、および送信回路１５は、この例では、半導体チップ１０ＥＩＣに集積されている。スイッチ１７は、オン状態において電源部１２が生成した電源電圧Ｖｐ１を端子１１Ｐに供給し、オフ状態において端子１１Ｐに０Ｖを供給するものである。このスイッチ１７は、制御部１００からの指示に基づいてオンオフするようになっている。電圧検出部１８は、端子１１Ｐにおける電圧が電源電圧Ｖｐ１であるか否かを検出し、その検出結果を信号ＳＰ１として出力するものである。信号ＳＰ１は、端子１１Ｐにおける電圧が電源電圧Ｖｐ１である場合に“１”（アクティブ）になる論理信号である。接続検出部１３は、上記各実施の形態の場合と同様に、端子１１Ｄにおける電圧に基づいて、受信装置２０Ｅがケーブル９０を介して送信装置１０Ｅに接続されたことを検出し、その検出結果を信号ＳＤ１として出力するものである。信号ＳＤ１は、送信装置１０Ｅと受信装置２０Ｅとが接続されている場合に“１”（アクティブ）になる論理信号である。制御部１００は、接続検出部１３による検出結果（信号ＳＤ１）および電圧検出部１８による検出結果（信号ＳＰ１）に基づいて、送信部１４に信号ＣＴＬ１を供給することにより、送信部１４における送信動作を制御するものである。具体的には、制御部１００は、送信装置１０Ｅと受信装置２０Ｅとが接続されており、かつ、端子１１Ｐにおける電圧が電源電圧Ｖｐ１である場合において、送信部１４をオン状態に設定し、それ以外の場合に、送信部１４をオフ状態に設定するようになっている。また、制御部１００は、スイッチ１７のオンオフを制御する機能をも有している。
【０１２６】
図１７は、制御部１００における、信号ＣＴＬを生成する回路の一構成例を表すものである。制御部１００は、論理積回路１０１と、立上りエッジ検出部１０２と、論理積回路１０３と、立下りエッジ検出部１０４と、タイマ１０５と、カウント比較部１０６と、反転回路１０７とを有している。論理積回路１０１は、信号ＳＤ１，ＳＰ１の論理積（ＡＮＤ）を求めるものである。立上りエッジ検出部１０２は、論理積回路１０１の出力信号の立上りエッジを検出するものである。論理積回路１０３は、論理積回路１０１の出力信号と、反転回路１０７の出力信号との論理積（ＡＮＤ）を求めるものである。立下りエッジ検出部１０４は、論理積回路１０１の出力信号の立下りエッジを検出するものである。タイマ１０５は、enable端子に供給された信号が“１”（アクティブ）である場合において、start端子に供給された信号に基づいてカウントアップ動作を行い、カウント値ＣＮＴを出力するものである。また、タイマ１０５は、enable端子に供給された信号が“０”（非アクティブ）である場合において、カウント値ＣＮＴを保持する。また、タイマ１０５は、reset端子に供給された信号に基づいてカウント値ＣＮＴをリセットする機能をも有している。タイマ１０５のstart端子には立上りエッジ検出部１０２の出力信号が供給され、enable端子には論理積回路１０３の出力信号が供給され、reset端子には立下りエッジ検出部１０４の出力信号が供給される。カウント比較部１０６は、カウント値ＣＮＴが値ＣＲＥＦよりも大きい場合（ＣＮＴ＞ＣＲＥＦ）には信号ＣＴＬ１を“１”にし、カウント値ＣＮＴが値ＣＲＥＦ以下である場合には信号ＣＴＬ１を“０”にするものである。反転回路１０７は、信号ＣＴＬ１の反転論理を求めるものである。この構成により、制御部１００は、信号ＳＤ１，ＳＰ１がともに“１”になった後、その状態が、値ＣＲＥＦに対応する時間Δｔだけ続いたときに、信号ＣＴＬ１を低レベルから高レベルに変化させる。また、制御部１００は、その後に、信号ＳＤ１，ＳＰ１のうちのいずれか一方または双方が“０”になったときに、信号ＣＴＬ１を高レベルから低レベルに変化させるようになっている。
【０１２７】
受信装置２０Ｅは、スイッチ２７と、電圧検出部２８と、制御部２００とを有している。電源部２２、スイッチ２７、接続検出部２３、電圧検出部２８、制御部２００、および受信回路２６は、この例では、半導体チップ２０ＥＩＣに集積されている。スイッチ２７は、オン状態において電源部２２が生成した電源電圧Ｖｐ２を端子２１Ｐに供給し、オフ状態において端子２１Ｐに０Ｖを供給するものである。このスイッチ１７は、制御部２００からの指示に基づいてオンオフするようになっている。電圧検出部２８は、端子２１Ｐにおける電圧が電源電圧Ｖｐ２であるか否かを検出し、その検出結果を信号ＳＰ２として出力するものである。接続検出部２３は、上記各実施の形態の場合と同様に、端子２１Ｄにおける電圧に基づいて、送信装置１０Ｅがケーブル９０を介して受信装置２０Ｅに接続されたことを検出し、その検出結果を信号ＳＤ２として出力するものである。制御部２００は、接続検出部２３による検出結果（信号ＳＤ２）および電圧検出部２８による検出結果（信号ＳＰ２）に基づいて、受信部２４に信号ＣＴＬ２を供給することにより、受信部２４における受信動作を制御するものである。また、制御部２００は、スイッチ２７のオンオフを制御する機能をも有している。制御部２００の構成は、制御部１００（図１７）と同様である。
【０１２８】
ここで、例えば、半導体チップ１０ＥＩＣは、本開示における「通信装置」の一具体例に対応する。接続検出部１３、電圧検出部１８、および制御部１００は、本開示における「通信制御部」の一具体例に対応する。スイッチ１７は、本開示における「電源スイッチ」の一具体例に対応する。
【０１２９】
図１８は、通信システム１Ｅの一動作例を表すものであり、（Ａ）は信号ＳＰ１の波形を示し、（Ｂ）は信号ＳＤ１の波形を示し、（Ｃ）は信号ＣＴＬ１の波形を示し、（Ｄ）は信号ＳＰ２の波形を示し、（Ｅ）は信号ＳＤ２の波形を示し、（Ｆ）は信号ＣＴＬ２の波形を示す。この例では、タイミングｔ１において、送信装置１０Ｅの電源が投入され、電圧検出部１８は、信号ＳＰ１を低レベルから高レベルに変化させる（図１８（Ａ））。同様に、タイミングｔ２において、受信装置２０Ｅの電源が投入され、電圧検出部２８は信号ＳＰ２を低レベルから高レベルに変化させる（図１８（Ｄ））。そして、タイミングｔ３において、送信装置１０Ｅと受信装置２０Ｅとが、ケーブル９０を介して互いに接続される。これにより、送信装置１０Ｅの接続検出部１３は信号ＳＤ１を低レベルから高レベルに変化させるとともに（図１８（Ｂ））。受信装置２０Ｅの接続検出部２３は、信号ＳＤ２を低レベルから高レベルに変化させる（図１８（Ｅ））。送信装置１０Ｅの制御部１００は、信号ＳＰ１，ＳＤ１がともに“１”になったタイミングｔ３から、値ＣＲＥＦに対応する時間Δｔが経過したタイミングｔ４において、信号ＣＴＬ１を低レベルから高レベルに変化させる（図１８（Ｃ））。これにより、送信部１４は、送信動作を開始する。同様に、受信装置２０Ｅの制御部２００は、信号ＳＰ２，ＳＤ２がともに“１”になったタイミングｔ３から、値ＣＲＥＦに対応する時間Δｔが経過したタイミングｔ４において、信号ＣＴＬ２を低レベルから高レベルに変化させる（図１８（Ｆ））。これにより、受信部２４は、受信動作を開始する。
【０１３０】
その後、この例では、何らかの原因により、タイミングｔ５において、送信装置１０Ｅは、受信装置２０Ｅからの電源電圧Ｖｐ２の供給を受けることができなくなる。これにより、送信装置１０Ｅの接続検出部１３は、信号ＳＤ１を高レベルから低レベルに変化させる（図１８（Ｂ））。これに応じて、送信装置１０Ｅの制御部１００は、信号ＣＴＬ１を高レベルから低レベルに変化させる（図１８（Ｃ））。これにより、送信部１４は、送信動作を停止する。制御部１００は、受信装置２０Ｅに対して、電源電圧Ｖｐ２の供給が停止されたことを伝えるために、タイミングｔ６〜ｔ８の期間において、スイッチ１７をオフ状態にすることにより、電源電圧Ｖｐ１の受信装置２０Ｅへの供給を停止する。これにより、受信装置２０Ｅの接続検出部２３は、タイミングｔ６において、信号ＳＤ２を高レベルから低レベルに変化させる（図１８（Ｅ））。これに応じて、受信装置２０Ｅの制御部２００は、信号ＣＴＬ２を高レベルから低レベルに変化させる（図１８（Ｆ））。これにより、受信部２４は、受信動作を停止する。この例では、タイミングｔ６〜ｔ８の期間内のタイミングｔ７において、電源電圧Ｖｐ２の供給を受けることができなくなった原因が解消され、送信装置１０Ｅは、受信装置２０Ｅから電源電圧Ｖｐ２の供給を受けるようになる。これにより、送信装置１０Ｅの接続検出部１３は、信号ＳＤ１を低レベルから高レベルに変化させる（図１８（Ｂ））。
【０１３１】
タイミングｔ８において、スイッチ１７がオン状態になり、電源電圧Ｖｐ１の受信装置２０Ｅへの供給が開始されると、送信装置１０Ｅの電圧検出部１８は、信号ＳＰ１を低レベルから高レベルに変化させ（図１８（Ａ））、受信装置２０Ｅの接続検出部２３は、信号ＳＤ２を低レベルから高レベルに変化させる（図１８（Ｅ））。送信装置１０Ｅの制御部１００は、信号ＳＰ１，ＳＤ１がともに“１”になったタイミングｔ８から、値ＣＲＥＦに対応する時間Δｔが経過したタイミングｔ９において、信号ＣＴＬ１を低レベルから高レベルに変化させる（図１８（Ｃ））。これにより、送信部１４は、送信動作を再開する。同様に、受信装置２０Ｅの制御部２００は、信号ＳＰ２，ＳＤ２がともに“１”になったタイミングｔ８から、値ＣＲＥＦに対応する時間Δｔが経過したタイミングｔ９において、信号ＣＴＬ２を低レベルから高レベルに変化させる（図１８（Ｆ））。これにより、受信部２４は、受信動作を再開する。
【０１３２】
このように、本変形例に係る通信システム１Ｅでは、通信相手への電源電圧の供給をオンオフするスイッチ１７，２７を設けるとともに、接続検出部１３，２３による検出結果に加え、自らが出力する電源電圧にも基づいて、送受信動作を制御するようにした。これにより、タイミングｔ５〜ｔ７のように、何らかの原因により接続が不安定になった場合でも、送受信動作を効果的に制御することができる。すなわち、例えば、接続検出部１３による検出結果のみに基づいて送信部をオンオフするようにした場合には、送信部１４は、信号ＳＤ１が低レベルから高レベルへ変化するタイミングｔ７において送信動作を再開し、受信部２４は、信号ＳＤ２が低レベルから高レベルに変化するタイミングｔ８において受信動作を再開する。すなわち、送信部１４および受信部２４は、互いに異なるタイミングで送受信動作を再開する。これにより、例えば、受信部２４は、送信部１４が送信したデータの一部を受信できないなど、通信が正常に行われないおそれがある。一方、通信システム１Ｅでは、接続検出部１３，２３による検出結果に加え、自らが出力する電源電圧にも基づいて、送受信動作を制御したので、送信部１４および受信部２４は、ほぼ同じタイミングで送受信動作を再開することができる。その結果、通信システム１Ｅでは、通信をより確実に行うことができる。
【０１３３】
なお、この例では、送信装置１０Ｅの制御部１００は、信号ＳＤ１が高レベルから低レベルに変化したことに基づいてスイッチ１７をオフにしたが、これに限定されるものではない。受信装置２０Ｅの制御部２００についても同様である。例えば、受信装置２０Ｅの制御部２００は、さらに、受信部２４がデータを受信できない場合に、スイッチ２７をオフにするようにしてもよい。
【０１３４】
また、この例では、スイッチ１７，２７を設けたが、これに限定されるものではなく、これに代えて、例えば、スイッチ１７，２７を設けず、電源部１２が、制御部１００からの指示に基づいて電源電圧Ｖｐ１の生成または生成の停止を行い、同様に、電源部２２が、制御部２００からの指示に基づいて電源電圧Ｖｐ２の生成または生成の停止を行うようにしてもよい。
【０１３５】
なお、本明細書に記載された効果はあくまで例示であって限定されるものでは無く、また他の効果があってもよい。
【０１３６】
なお、本技術は以下のような構成とすることができる。
【０１３７】
（１）電源電圧を出力する第１の端子と、
前記第１の端子に直接的または間接的に接続された第２の端子と、
前記電源電圧に基づいて動作し、通信相手と通信を行う通信部と、
前記第２の端子における電圧に基づいて前記通信部をオン状態またはオフ状態に設定する通信制御部と
を備えた通信装置。
【０１３８】
（２）前記第２の端子は、前記第１の端子に直接接続された
前記（１）に記載の通信装置。
【０１３９】
（３）前記第２の端子には、前記通信相手により前記電源電圧が供給される
前記（２）に記載の通信装置。
【０１４０】
（４）前記第１の端子と前記第２の端子との間に挿入されたスイッチをさらに備え、
前記第２の端子は、前記スイッチがオン状態になることにより、前記第１の端子に接続された
前記（１）に記載の通信装置。
【０１４１】
（５）前記第１の端子の電圧レベルに基づいて、前記スイッチをオンオフするスイッチ制御部  をさらに備えた
前記（４）に記載の通信装置。
【０１４２】
（６）前記スイッチ制御部は、前記第１の端子の電圧レベルが所定レベルよりも低い場合に、前記スイッチをオン状態にし、前記第１の端子の電圧レベルが前記所定レベルよりも高い場合に、前記スイッチをオフ状態にする
前記（５）に記載の通信装置。
【０１４３】
（７）前記第１の端子に接続された電圧供給部をさらに備えた
前記（５）または（６）に記載の通信装置。
【０１４４】
（８）前記第１の端子には、電圧供給部が接続される
前記（５）または（６）に記載の通信装置。
【０１４５】
（９）前記電圧供給部はバッテリである
前記（８）に記載の通信装置。
【０１４６】
（１０）前記バッテリは、前記電源電圧を前記第１の端子に供給し、
前記スイッチ制御部は、前記電源電圧が前記所定レベルよりも高い場合に、前記スイッチをオフ状態にする
前記（９）に記載の通信装置。
【０１４７】
（１１）前記バッテリは、前記スイッチがオン状態である場合において、前記第２の端子を介して、前記通信相手により充電される
前記（９）または（１０）に記載の通信装置。
【０１４８】
（１２）前記通信部は、光通信により前記通信相手と通信を行う
前記（１）から（１１）のいずれかに記載の通信装置。
【０１４９】
（１３）前記通信部は、複数の通信レーンを介して、前記通信相手と、互いに異なる複数の接続状態で接続可能に構成された
前記（１２）に記載の通信装置。
【０１５０】
（１４）前記通信部は、前記第２の端子の電圧に基づいて、前記接続状態を取得する
前記（１３）に記載の通信装置。
【０１５１】
（１５）前記通信制御部は、前記第２の端子における電圧に加え、さらに前記第１の端子における電圧にも基づいて、前記通信部をオン状態またはオフ状態に設定する
前記（１）から（１４）のいずれかに記載の通信装置。
【０１５２】
（１６）前記通信制御部は、前記第２の端子における電圧が所定の第１の電圧であり、かつ、前記第１の端子における電圧が所定の第２の電圧である状態が所定時間続いたときに、前記通信部をオン状態に設定する
前記（１５）に記載の通信装置。
【０１５３】
（１７）オン状態になることにより、前記第１の端子に前記電源電圧を供給する電源スイッチをさらに備えた
前記（１）から（１６）のいずれかに記載の通信装置。
【０１５４】
（１８）前記通信制御部は、さらに、前記第２の端子における電圧に基づいて、前記電源スイッチを所定期間オフ状態にする
前記（１７）に記載の通信装置。
【０１５５】
（１９）前記通信制御部は、さらに、前記通信部における通信状態に基づいて、前記電源スイッチを所定期間オフ状態にする
前記（１７）または（１８）に記載の通信装置。
【０１５６】
（２０）第１の通信装置と、
前記第１の通信装置と通信を行う第２の通信装置と
を備え、
前記第１の通信装置は、
第１の電源電圧を出力する第１の端子と、
前記第１の端子に直接的または間接的に接続された第２の端子と、
前記第１の電源電圧に基づいて動作する第１の通信部と、
前記第２の端子における電圧に基づいて前記第１の通信部をオン状態またはオフ状態に設定する第１の通信制御部と
を有する
通信システム。
【０１５７】
（２１）前記第２の通信装置は、
前記第１の通信装置の前記第２の端子と接続され、第２の電源電圧を出力する第３の端子と、
前記第１の通信装置の前記第１の端子と接続され、前記第３の端子に直接的または間接的に接続された第４の端子と、
前記第２の電源電圧に基づいて動作し、前記第１の通信部と通信を行う第２の通信部と、
前記第４の端子における電圧に基づいて前記第２の通信部をオン状態またはオフ状態に設定する第２の通信制御部と
を有する
前記（２０）に記載の通信システム。
【０１５８】
（２２）前記第２の通信装置は、
第２の電源電圧を生成する電源部と、
前記第１の通信装置の前記第２の端子と接続され、前記第２の電源電圧を出力する第３の端子と、
前記第１の通信装置の前記第１の端子と接続された第４の端子と、
前記第１の通信部と通信を行う第２の通信部と、
前記第４の端子における電圧に基づいて前記第２の通信部をオン状態またはオフ状態に設定する第２の通信制御部と
を有する
前記（２０）に記載の通信システム。
【０１５９】
（２３）前記電源部は、第３の電源電圧をさらに生成し、
前記第２の通信部は、前記第３の電源電圧に基づいて動作する
前記（２２）に記載の通信システム。
【０１６０】
（２４）第１の通信装置と、
前記第１の通信装置との間で通信を行う第２の通信装置と
を備え、
前記第１の通信装置は、
第１の電圧を生成する第１の電源部と、
前記第１の電圧を出力する第１の端子と、
第２の端子と、
第１の通信部と、
前記第２の端子における電圧に基づいて前記第１の通信部をオン状態またはオフ状態に設定する第１の通信制御部と
を有し、
前記第２の通信装置は、
第２の電圧を生成する第２の電源部と、
前記第１の通信装置の前記第２の端子と接続され、前記第２の電圧を出力する第３の端子と、
前記第１の通信装置の前記第１の端子と接続された第４の端子と、
前記第１の通信部と通信を行う第２の通信部と、
前記第４の端子における電圧に基づいて前記第２の通信部をオン状態またはオフ状態に設定する第２の通信制御部と
を有する
通信システム。
【０１６１】
本出願は、日本国特許庁において２０１５年３月２６日に出願された日本特許出願番号２０１５−０６４０８２号を基礎として優先権を主張するものであり、この出願のすべての内容を参照によって本出願に援用する。
【０１６２】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2016152439.tif 000003
【図２】
2016152439.tif 000004
【図３】
2016152439.tif 000005
【図４】
2016152439.tif 000006
【図５Ａ】
2016152439.tif 000007
【図５Ｂ】
2016152439.tif 000008
【図６】
2016152439.tif 000009
【図７】
2016152439.tif 000010
【図８Ａ】
2016152439.tif 000011
【図８Ｂ】
2016152439.tif 000012
【図９】
2016152439.tif 000013
【図１０】
2016152439.tif 000014
【図１１Ａ】
2016152439.tif 000015
【図１１Ｂ】
2016152439.tif 000016
【図１１Ｃ】
2016152439.tif 000017
【図１１Ｄ】
2016152439.tif 000018
【図１２】
2016152439.tif 000019
【図１３】
2016152439.tif 000020
【図１４Ａ】
2016152439.tif 000021
【図１４Ｂ】
2016152439.tif 000022
【図１５】
2016152439.tif 000023
【図１６】
2016152439.tif 000024
【図１７】
2016152439.tif 000025
【図１８】
2016152439.tif 000026
【国際調査報告】
2016152439.tif 000027
2016152439.tif 000028
2016152439.tif 000029
2016152439.tif 000030